(57)【要約】【課題】放送信号及び個人で取得したコンテンツ或いは個人情報に関する著作権保護を容易に得られるようにする。【解決手段】プリントデータ出力部７０を有したデジタルテレビジョン放送受信装置において、入力されたコンテンツに特定情報が付加されているかどうかを検出する特定情報検出部５６ｋ１と、検出された特定情報が正当情報であるかどうかを識別する識別部５６ｋ２と、識別情報が正当情報であるときは上記プリントデータ出力部を動作可能に設定し、識別情報が非正当情報であることを示すときはプリントデータ出力部を出力不可に設定するプリント出力制御部５６ｋとを有する。【選択図】図１１
2006311269.tif 000002
【特許請求の範囲】
【請求項１】
プリントデータ出力部を有したデジタルテレビジョン放送受信装置において、
入力されたコンテンツに特定情報が付加されているかどうかを検出する特定情報検出部と、
この特定情報検出部により検出された特定情報が予め取り決めている正当情報であるかどうかを識別する識別部と、
前記識別部の識別情報が、正当情報であることを示すときは前記プリントデータ出力部を動作可能に設定し、識別情報が非正当情報であることを示すときは前記プリントデータ出力部を出力不可に設定するプリント出力制御部と、
を有したデジタルテレビジョン放送受信装置。
【請求項２】
前記識別部が前記特定情報を識別するめの鍵情報を設定する、鍵情報設定部を有した請求項１記載のデジタルテレビジョン放送受信装置。
【請求項３】
前記鍵情報設定部は、マニュアル入力又は通信ケーブルからの入力を受け取るように構成されている請求項２記載のデジタルテレビジョン放送受信装置。
【請求項４】
前記鍵情報設定部の鍵情報は、機器名，又は機器のシリアル番号のいずれかを含む請求項３記載のデジタルテレビジョン放送受信装置。
【請求項５】
前記鍵情報設定部の鍵情報は、自由入力された情報である請求項３記載のデジタルテレビジョン放送受信装置。
【請求項６】
前記特定情報検出部は、
前記コンテンツを、外部接続されたビデオカメラ、または装置本体と一体になったハードディスク装置から取り込むように構成されている請求項１記載のデジタルテレビジョン受信装置。
【請求項７】
さらに、前記ハードディスク装置に前記ビデオカメラからの入力を録画するＨＤＤ録画制御部は、電子すかしを付加された映像を録画するように構成されている請求項４記載のデジタルテレビジョン受信装置。
【請求項８】
さらに前記識別部の識別情報が、正当情報であることを示すときは表示器への表示出力を可能とし、識別情報が非正当情報でることを示すときは前記表示器への表示出力を不可に設定する表示制御部を有した請求項１記載のデジタルテレビジョン放送受信装置。
【請求項９】
前記ビデオカメラは、映像信号に電子すかしを付加する電子すかし挿入部を有する請求項５記載のデジタルテレビジョン放送受信装置。
【請求項１０】
動作を統括する制御部を有し、この制御部の制御に基づいて、受信部で放送信号を受信し、復調及び信号処理部で、前記受信信号を復調及び信号処理し表示用信号に変換し、操作入力に応じて前記表示用信号を記録媒体に蓄積する放送受信方法において、
入力されたコンテンツに特定情報が付加されているかどうかを検出し、
検出された特定情報が予め取り決めている正当情報であるかどうかを識別し、
前記識別部の識別情報が、正当情報であることを示すときはプリントデータ出力部を動作可能に設定し、
前記識別情報が非正当情報であることを示すときは前記プリントデータ出力部を出力不可に設定する、
を有したデジタルテレビジョン放送受信方法。
【請求項１１】
入力されたコンテンツが、装置本体に接続されたビデオカメラ或いはハードディスク装置からのものであれば、前記コンテンツを表示した状態で、上記検出された特定情報が正当情報であるかどうかを識別し、
入力されたコンテンツが、ルータを介して伝送されてきたものであれば、先に前記特定情報が付加されているかどうか、付加されている場合は、正当情報であるかどうかを識別子、正当情報であることが判定されたときに、前記コンテンツを表示するようにした請求項１０記載のデジタルテレビジョン放送受信方法。
【発明の詳細な説明】
【技術分野】
【０００１】
この発明は、テレビジョン放送受信装置及び放送受信方法に関するもので、特にプリンタ接続機能を有する装置において、放送信号が不正にプリントアウトされるのを防止する機能を有するものである。
【背景技術】
【０００２】
近年、記録媒体としてのハードディスク、光ディスクなどの情報記録媒体は、その記憶容量が増大している。このために、これらの情報記録媒体を利用した記録再生装置を例えばテレビジョン受信機に接続し、所望の番組を記録媒体に自動録画する方法及び装置がある。通常は、自動録画機能及び自動録画再生装置を実現するためには、電子番組案内（ＥＰＧ）情報を用いて番組録画予約情報が作成される。また、所望のジャンルを指定すると、自動的に電子番組案内情報から当該ジャンルに相当すると思われる番組をサーチして、録画予約情報を自動的に設定する装置も考えられている。
【０００３】
また、テレビジョン放送受信装置あるいはデジタル録画機器では、プリンタを接続可能で、コンテンツの一部を印刷可能な装置も開発されている（例えば特許文献１，２，３、４参照）。
【０００４】
また、コンテンツの一部をプリントする場合は、無制限に複写されるような著作権違反について注意を払う必要がある。しかし、著作権をどのように保護するかは、十分な対策が施されていない。デジタル録画機器においては、著作権を管理する機能が設けられているが、記録メディアにコンテンツを移動する機能（移動元のコンテンツは消去される）であり、プリントアウトに対する対策が不十分である。著作権を管理するシステムとして、記載された文献がある（特許文献４、５参照）。しかし、プリントアウト機能にどのように著作権管理を結びつけるのかという技術については不明である。
【特許文献１】特開２００２−３６９０９１
【特許文献２】特開２００１−２１８１３８
【特許文献３】特開２００４−３０６３２３
【特許文献４】特開２００４−２６５２１６
【特許文献５】特開２００３−０２２３７７
【発明の開示】
【発明が解決しようとする課題】
【０００５】
上記したように、デジタル録画機器あるいは放送受信装置にプリンタを接続可能となったが、放送で送られてくるコンテンツの著作権保護については十分な対策がなされていない。また記録再生装置を複数接続可能となったデジタル放送受信装置では、複数の人が、記録再生装置を共同して利用することが考えられる。このような場合、個人的に所有するコンテンツのプリントアウトに対する、著作権保護の対策はなされていないのが現状である。
【０００６】
そこでこの発明に係る目的は、放送信号の著作権保護を容易に確実に得られるようにするとともに、合わせて個人で取得したコンテンツ或いは個人情報に関しても著作権保護を図ることができるようにしたテレビジョン放送受信装置及び受信方法を提供することを目的とする。
【課題を解決するための手段】
【０００７】
この発明の一実施の形態では、プリントデータ出力部を有したデジタルテレビジョン放送受信装置において、入力されたコンテンツに特定情報が付加されているかどうかを検出する特定情報検出部と、この特定情報検出部により検出された特定情報が予め取り決めている正当情報であるかどうかを識別する識別部と、前記識別部の識別情報が、正当情報であることを示すときは前記プリントデータ出力部を動作可能に設定し、識別情報が非正当情報であることを示すときは前記プリントデータ出力部を出力不可に設定するプリント出力制御部とを有する。
【発明の効果】
【０００８】
これにより、放送信号に関しては特定情報が存在しないためにプリントアウトすることが防止され、また個人的が映像データについては、特定情報を個人が固有のものを設定するようにすれば、個人の映像の著作権も保護可能となる。
【発明を実施するための最良の形態】
【０００９】
以下、図面を参照しながらこの発明の実施の形態を説明する。まずこの発明の基本的な構成と複数の実施の形態を図１から図５を参照して説明する。
【００１０】
図1はこの発明の一実施の形態を示す。ネットワーク対応のデジタルテレビジョン受信装置（ＤＴＶ）１０１には、通信ケーブル（例えばＬＡＮ或いはＵＳＢ）を介して映像記録装置（ビデオカメラ）が接続されている。さらに、デジタルテレビジョン受信装置（ＤＴＶ）１０１は、ルータ１０４或いはＨＵＢなどの中継器に接続されている。そしてルータ１０４は、ＬＡＮを介して外部ＨＤＤ１０６、プリンタ１０７と接続されている。
【００１１】
ビデオカメラ１０２は、撮影動作のとき、著作権保護の立場から自らが撮影したものである事を証明するために、映像信号に電子すかしを付加できる映像装置となっている。この際、動画中の電子すかしは、撮影している機器名、もしくはシリアルＮｏもしくは、ユーザが自由入力した値（いわゆる鍵情報）そのもの或いはその変換情報である。変換情報は予め定められたルールに基づいて生成されている。
【００１２】
ここで、自由入力の場合は、撮影開始前にビデオカメラ自体が、電子すかしを得るための鍵情報を自由入力するかどうか問い合わせてくる。ユーザは、鍵情報を入力する場合は、ビデオカメラの入力操作部を操作する。それ以外の電子透かしの場合は、自動で作成されその鍵情報が登録されるものとする。
【００１３】
これにより、ユーザがビデオカメラ１０２を用いて、個人的に撮影した映像には電子透かしが付加されることになる。ビデオカメラ１０２で撮影された映像は、通信ケーブルを介してデジタルテレビジョン受信装置１０１に入力されて表示器で表示される。
【００１４】
この際、電子透かしはユーザの目では確認出来ない。この時、ＤＴＶ１０１内では、電子透かしがあるかどうかを確認し、ある場合はその電子すかしが、正当な機器によるものであるかを調べる。この方法としては、ＤＴＶ１０１内部の既存のデータやインターネットを介して鍵情報を取得し、この鍵情報に基づいて、映像信号に含まれる電子すかしの情報を再現或いは消去してみる。再現或いは消去された場合は、正当な機器である。また、鍵情報が自由入力されている場合は、静止画を印刷する段階で、同様の鍵情報（値）をＤＴＶ１０１上で再入力させ（或いは鍵情報はユーザが予め入力していてもよい）、電子すかしのチェックを行う。この結果、電子すかしが正当な機器のものであれば、つまり正しければ印刷許可を出す。或いは鍵情報は、予め入力されていてもよい。
【００１５】
電子透かしがチェックされた結果、動画の一部である静止画が正当なものであると判断された場合、ＬＡＮを介してプリンタ１０７に静止画データを送信し、印刷が行われる。また、電子透かしが正当で無いと判断した場合、プリンタ１０７には静止画データは、送信できないようにする。この場合は、警告音が出力されるかまたは警告画像が表示される。
【００１６】
以上のように、対象となる動画中の静止画が、自分で撮影したものであるかを判断できるシステムを構築する事により、放送波などのように印刷許可の無いものが無断で印刷されることはない。
【００１７】
これにより著作権の問題を回避して、個人的なコンテンツを自由に楽しむことが出来る。また、予め映像記録装置（ビデオカメラなど）に電子透かし挿入機能を取り入れ、ＤＴＶ１０１で、電子透かしが正当であるかどうかを判断する手段を持つ事により、別途印刷機器側で或いはユーザ自身が印刷して良いかどうかを判断させるような煩わしい判断しなくて済むことにもなる。
【００１８】
図２には、ビデオカメラ１０２で撮影した電子透かしを含むコンテンツがルータ１０４を介して外部ＨＤＤ１０６に保存された場合の動作を説明する図である。先の実施の形態では、ビデオカメラ１０２からの映像を、ＤＴＶ１０１を介してプリンタ１０７でプリントアウトする例を示した。しかし、ビデオカメラ１０２からの映像は、一旦ハードディスク装置（ＨＤＤ）１０６に保存されることも有り得る。そして、ＨＤＤ１０６から、読み出されてプリントアウトされることも有り得る。
【００１９】
そこで、外部ＨＤＤ１０６に映像信号が保存されるときも、同様に電子透かしが付加された状態で保存される。この映像信号は、ＤＴＶ１０１にて再生表示でき、その際、電子透かしが読み込取られ、調べられる。ここで、コンテンツが、ユーザ自身がビデオカメラ１０２を利用して取得したものであればいつでも印刷できる事になる、その他の動作は先の例と同様である。
【００２０】
図３は、さらにこの発明の他の実施の形態である。ネットワーク対応ＤＴＶ１０１と映像記録装置（ビデオカメラ１０２）と外部ＨＤＤ１０６が接続されたネットワークから、インターネットを介して家庭外のネットワークＤＴＶ１１０に接続されているシステムの例を示す。
【００２１】
さきの実施の形態と同様な部分には、先の実施の形態と同一符号を付して説明する。ルータ１０４は、インターネットを介して別の家庭のルータ１０９に接続されている。ルータ１０９にはネットワーク対応のＤＴＶ１１０、外部ＨＤＤ１１１などが接続されている。
【００２２】
ビデオカメラ１０２、電子透かし、ＤＴＶ１０１、ＨＤＤ１０６の関係は、先に説明したとおりである。今、電子透かしに基づいて、送信対象となる動画が、正当であると判断された場合、ＬＡＮ、及びインターネットを介して家庭外のネットワークＤＴＶ１１０にその動画を送信することができる。ここで、動画を受信したＤＴＶ１１０は、電子透かしの情報を、鍵情報（予め登録又はインターネット上で参照した文字や機器名）を用いてチェックする。電子すかしが、自由入力した鍵で生成されている場合、ユーザに対して、ＤＴＶ１１０の操作部を介して鍵情報となる文字などを入力するように促す。
【００２３】
これにより、外部ＤＴＶ１１０側では、電子透かしが鍵の役割を担うことが出来る。そして対象の動画が正当であると判断できた場合に、外部ＤＴＶ１１０は、はじめて送られて来た動画を再生する。また、電子透かしが正当で無いと判断された場合、再生できないように設定されている。
【００２４】
上記の実施形態では、ＤＴＶ１１０は、ルータ１０９を介して外部のＤＴＶ１０１からコンテンツを取り込んだ場合、電子すかしをチェックし、表示が許可されているものであるコンテンツであるか否かを判定していることになる。
【００２５】
以上のように、この実施形態では、対象となるコンテンツはユーザ自信が撮影した動画であるかを判断できるシステムである。これにより、放送波を記録媒体に一旦録画しこれを再生して作成したコンテンツなどのように、送信許可の無い動画が無断で送受信されることが防止できる。
【００２６】
このために、放送信号に対する著作権を保護可能となり、一方では、ユーザ自身のコンテンツを自由に家族間や、友人間で送受信して楽しむことが出来る。また、予め映像記録装置（ビデオカメラなど）に電子透かしを取り入れ、ＤＴＶで電子透かしが正当であるかどうかを判断する手段を持つ事により、相手先でも電子透かしが鍵の変わりになり、著作権の問題を心配せず視聴、録画する事が可能となる。
【００２７】
図４には、さらにこの発明の他の実施の形態を示している。図３の実施の形態では、ビデオカメラ１０２からの映像を、ＤＴＶ１１０に送信する例を説明した。しかし、ビデオカメラ１０２からの映像は、ハードディスク装置（ＨＤＤ）１０６に保存されることも有り得る。そして、ＨＤＤ１０６から、読み出されて電子すかしのあるコンテンツとして、家庭外のネットワークＤＴＶ１１０に送信されることもある。電子透かしを付加した状態で保存された動画は、いつでもＤＴＶ１０１で再生表示でき、その際電子透かしを読み込み、調べることで、自分のものであればいつでも家庭外のネットワークＤＴＶ１１０へ送信できる事になる。その他の動作は先の実施例と同様である。
【００２８】
図５には、さらにこの発明の他の実施の形態を示している。この実施の形態では、電子透かしを付加した状態で保存された動画は、いつでもＤＴＶ１０１に再生表示でき、その際電子透かし読み込み、調べることで、自分のものであればいつでも家庭外のネットワークＤＴＶ１１０へ送信できる事になる。更に、受信した動画は正当であると判断されれば、ＤＴＶ１１０上で表示させるだけでなく、ルー１０９タを介して外部ＨＤＤ１１１などに録画保存する事が出来る。その他の動作はさきの実施例と同様である。
【００２９】
図６は、上記したデジタルテレビジョン受信装置１０１、１１０内の制御部の動作例を説明するために示したフローチャートであり、特に本発明に関連する動作取り出して説明している。先に説明したように、ビデオカメラ１０２或いは、ルータ１０９からのコンテンツの入力が有るかどうかを検出している（ステップＳＡ１、ＳＡ２）。コンテンツの入力があれば、コンテンツはビデオカメラ１０２或いはＨＤＤ１０６のものかどうかを検出する。この検出は、たとえば通信フォーマット（ＩＥＥＥ１３９４）におけるヘッダ情報など解析することで行われる。しかしこの発明の装置は、この方法に限定されるものではなく、種々の判定方法の中から選択的採用してもよい。図１、図２で説明したようにコンテンツがビデオカメラ１０２或いはＨＤＤ１０６からのものであれば、表示を行い（ステップＳＡ４）、コンテンツ（映像）に特定情報（電子すかし）が付加されているかどうかを識別する（ステップＳＡ５）。
【００３０】
電子すかしが付加されているときは、その電子すかしが、正当なものであるかどうかを判断し（ステップＳＡ６）映像を表示し、正当なものであれば、プリントデータ出力部の動作を許可し（ステップＳＡ８）、正当でない場合は、プリントデータ出力部の動作を否許可に設定して（ステップＳＡ７）、終了する。
【００３１】
さきのステップＳＡ３において、コンテンツがビデオカメラ１０２、ＨＤＤ１０６からのものでない場合には、コンテンツが外部からルータ１０９を介して入力されたものであるかどうか（ステップＳＡ９）を判定する（図３、図４、図５の例）。外部からのものであれば、コンテンツに特定情報（電子すかし）が付加されているかどうかを判定する（ステップＳＡ１０）。特定情報が付加されており、これが正当であれば（ステップＳＡ１１）、ここではじめて表示器へ表示する。またハードディスク装置１１１での録画を可能とする。
【００３２】
図７は、この発明が適用されたテレビジョン放送受信装置とその周辺のネットワークシステムの一例の概要を示す図である。
【００３３】
を概略的に示している。
【００３４】
デジタルテレビジョン放送受信装置１０１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００３５】
また、このデジタルテレビジョン放送受信装置１０１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００３６】
さらに、このデジタルテレビジョン放送受信装置１０１には、例えば契約情報等の記録された第２のメモリカード（ＩＣカード）２０が着脱可能となっており、この第２のメモリカード２０に対して情報の記録再生が行なわれるようになっている。
【００３７】
また、このデジタルテレビジョン放送受信装置１０１は、第１のＬＡＮ（Local Area Network）端子２１、第２のＬＡＮ端子２２、ＵＳＢ（Universal Serial Bus）端子２３及びｉ．Link（登録商標）端子２４を備えている。
【００３８】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００３９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００４０】
また、第２のＬＡＮ端子２２は、イーサネット（登録商標）を用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００４１】
なお、ＤＶＤレコーダ２９については、第２のＬＡＮ端子２２を介して通信されるデジタル情報が制御系の情報であるため、デジタルテレビジョン放送受信装置１０１との間でアナログの映像及び音声情報を伝送するために、専用のアナログ伝送路３０を設ける必要がある。
【００４２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。このネットワーク３２を介して、先に説明したＨＤＤ１０６、プリンタ１０７が接続されている。また他のＤＴＶ（図３−図５のＤＴＶ１１０）にも接続されている。
【００４３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００４４】
上記ｉ．Link（登録商標）端子２４は、例えばＡＶ−ＨＤＤ４１、Ｄ（Digital）−ＶＨＳ（Video Home System）４２等をシリアル接続し、これらの機器と情報伝送を行なうために使用される。
【００４５】
ここでｉ．Link（登録商標）端子２４に接続された、ＡＶ−ＨＤＤ４１は、図面ではデジタルテレビジョン放送受信装置１０１の外に記載されているが、実際には支持台１３に内蔵されている。つまりＡＶ−ＨＤＤ４１は、デジタルテレビジョン放送受信装置１０１と一体となっている。
【００４６】
図８には、上記のデジタルテレビジョン受信装置１０１の概観を示している。ＡＶ−ＨＤＤ４１は、支持台１３内に内蔵されている。
【００４７】
図９は、上記したデジタルテレビジョン放送受信装置１０１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００４８】
チューナ４５で選局された放送信号は、ＰＳＫ（Phase Shift Keying）復調器４６に供給されて、デジタルの映像信号及び音声信号に復調された後、信号処理部４７に出力される。
【００４９】
また地上波アナログ信号を受信するアナログチューナ６８も設けられている。アナログチューナ６８で受信された信号は、アナログ復調器６９で復調され信号処理部４７に出力される。
【００５０】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００５１】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００５２】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００５３】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００５４】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００５５】
上記音声処理部５３は、入力されたデジタルの音声信号を、スピーカ１５で再生可能なフォーマットのアナログ音声信号に変換し、スピーカ１５に出力して音声再生させる。
【００５６】
ここで、このデジタルテレビジョン放送受信装置１０１は、上記した各種の受信動作を含むその全ての動作を制御部５６によって統括的に制御されている。
【００５７】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００５８】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００５９】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００６０】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００６１】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００６２】
制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００６３】
制御部５６は、ＵＳＢ Ｉ／Ｆ６６を介してＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００６４】
上記制御部５６は、ｉ．Link（登録商標） Ｉ／Ｆ６７を介してｉ．Link（登録商標）端子２４に接続されている。これにより、制御部５６は、ｉ．Link（登録商標）端子２４に接続された各機器（図１参照）と、ｉ．Link（登録商標）Ｉ／Ｆ６７を介して情報伝送を行なうことができる。
【００６５】
制御部５６には、録画番組を予め予約して記録媒体に記録するための予約番組録画制御部５６ａと、特定情報処理部５６ｋ、及び映像及び音声出力制御部５６ｈが含まれている。特定情報処理部５６ｋが図６で説明したような動作を司っている。
【００６６】
さらにまた、この発明の放送受信装置では、制御部５６により制御されるプリントデータ出力部７０が設けられている。このプリントデータ出力部７０から先のプリンタ１０７に向けてデータが出力される。
【００６７】
図１０は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。また今すぐニュースキー１７ｐ、ちょっとタイムキー１７ｑ、スキップキー１７ｒも設けられている。また、
またメニューキー１７ｘを押すと、プリントアウトを行うために案内画面が現れえるようになっている。プリントアウトの項目を選択すると、たとえば、子画面で動画のプレビューを見ることができる。プリントアウトを希望するプレビュー画像のとき、決定を押すと静止画像が表示される。この静止画像の状態から、前又は後の方向に画像のコマ送りを行うことも可能である。希望の静止画が表示されたときに、画面上の操作パネル内のプリント決定のボタンをカーソルで選択し、決定キーを押すと、プリントが開始される。しかし、プリントされる画像の条件は先に説明したとおり、電子すかしが正当情報であるときのみである。
【００６８】
図１１は、上記した制御部５６の内部の機能をさらに詳しく示している。制御部５６の特定情報処理部５６ｋは、電子すかしが映像信号に付加されているかどうかを検出する特定情報検出部５６ｋ１を有する。また特定情報処理部５６ｋは、先に説明したように電子すかしが正当な機器からのものかどうかを識別する正当情報識別部５６ｋ２を有する。また、機器ＩＤ，機器のシリアル番号、或いは機器名などの電子すかしに利用される情報を保存する鍵情報設定部５６ｋ３も含む。さらにまた、プリントデータ出力部７０の動作をコントロールする（動作許可、動作否許可を設定する）プリント出力制御部５６ｋ４を有する。また、ＨＤＤに電子すかしを付加したコンテンツを記録する場合に動作するＨＤＤ録画制御部５６ｋ５を含む。さらにまた、表示制御部５６ｋ６（図６のステップＳＡ４，ＳＡ１２の処理を司る）、警告処理部５６ｋ７を含む。警告処理部５６ｋ７は、プリントアウトしてはいけない画像をユーザがプリント出力するように操作した場合に警告を行う。
【００６９】
図１２には、ビデオカメラ１０２の例を示している。光学系２２０からの光学像は、撮像素子２２１にて電気信号に変換され、撮像信号処理部２２２に入力される。撮像信号処理部２２２では、ＲＧＢの映像信号を分離し、映像信号処理部２２３に供給する。映像信号処理部２２３では、増幅、ホワイトバランス、色調整などの処理を行い、Ｙ／Ｃ信号に変換し、インターフェース２２４を介して外部に出力することができる。またＲＧＢの映像信号をモニタ２２５に出力して、映像として表示することもできる。さらには、蓄積装置２２６に映像信号を録画することができ、また、録画されている映像信号を読み出して、外部に出力することもできる。
【００７０】
ここでこのビデオカメラでは、撮像処理したときにときに映像信号に対して電子すかしを付加する機能を有する。電子すかし挿入部２２９が電子すかしを付加する回路である。自由入力の場合は、ユーザは、操作部２２８の鍵情報入力部を通して鍵情報を機器に入力することができる。
【００７１】
上記したようにこの発明によると、電子すかしを付加されている映像信号については、電子すかしが確認できるかぎり、プリントアウト処理、ＨＤＤ記録などを可能にした。これにより、本来プリントアウトが禁じられている放送映像信号が無断でプリントされることがなくなる。つまり著作権保護に寄与できる。なお、映像信号に電子すかしを付加する例を説明したが、鍵情報で、映像信号を暗号化してもよい。そして表示器に供給した場合でも映像がスクランブルされており見えないようにしてもよい。
【００７２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７３】
【図１】この発明の一実施の形態に係るテレビジョン放送受信装置を示す図である。
【図２】この発明の他の実施の形態に係るテレビジョン放送受信装置を示す図である。
【図３】この発明のさらに他の実施の形態に係るテレビジョン放送受信装置を示す図である。
【図４】この発明のまた他の実施の形態に係るテレビジョン放送受信装置を示す図である。
【図５】この発明のさらにまた他の実施の形態に係るテレビジョン放送受信装置を示す図である。
【図６】この発明に係るテレビジョン放送受信装置の動作例を示すフローチャートである。
【図７】この発明が適用されたテレビジョン放送受信装置とその周辺のネットワークシステムの一例の概要を示す図である。
【図８】上記テレビジョン放送受信装置の概観を示す図である。
【図９】本発明に係るデジタルテレビジョン放送受信装置１０１の主要な信号処理系を示す図である。
【図１０】リモートコントローラ１７の外観を示す図である。
【図１１】制御部５６の内部の機能をさらに詳しく示す図である。
【図１２】この発明に係わるビデオカメラの構成を示す図である。
【符号の説明】
【００７４】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link（登録商標） Ｉ／Ｆ、７０…プリントデータ出力部。
【図１】
2006311269.tif 000003
【図２】
2006311269.tif 000004
【図３】
2006311269.tif 000005
【図４】
2006311269.tif 000006
【図５】
2006311269.tif 000007
【図６】
2006311269.tif 000008
【図７】
2006311269.tif 000009
【図８】
2006311269.tif 000010
【図９】
2006311269.tif 000011
【図１０】
2006311269.tif 000012
【図１１】
2006311269.tif 000013
【図１２】
2006311269.tif 000014